(57)【要約】【課題】インサートの屈曲性、特にはボンド部との連結部分となる骨片部部分の屈曲性や伸張性を改善し、トリムの三次元方向への変形性を向上させることができる新規なトリム用インサートの構造を提案する。また、この発明は、必要に応じて、インサートの屈曲性や伸張性を調整できるトリム用インサートの構造を提案する。【解決手段】ゴム又は合成樹脂材料内に埋設され、幅方向に所定間隔の間隙部１６を経て多数並列された骨片部１１と前記骨片部を長さ方向に連結するボンド部１２を有する板金製のトリム用インサートにおいて、前記骨片部の少なくとも一側のボンド部に対応する部位に空隙部２０が形成されている。【選択図】　　　　図１
2004009355.tif 000002
【特許請求の範囲】
【請求項１】
ゴム又は合成樹脂材料内に埋設され、幅方向に所定間隔の間隙部を経て多数並列された骨片部と前記骨片部を長さ方向に連結するボンド部を有する板金製のトリム用インサートにおいて、
前記骨片部のボンド部に対応する部位に空隙部が形成されていることを特徴とするトリム用インサート。
【請求項２】
前記空隙部が骨片部の長さ方向の角部と、ボンド部の長さ方向の角部とを有する略菱形状に形成されている請求項１に記載のトリム用インサート。
【請求項３】
前記空隙部が前記骨片部の長さ方向に溝部を有する請求項２に記載のトリム用インサート。
【請求項４】
前記ボンド部が２ヶ所設けられており、骨片部の一側のボンド部に対応する部位に空隙部が形成されている請求項１ないし３のいずれか１項に記載のトリム用インサート。
【請求項５】
前記ボンド部のうち空隙部が形成されない他側のボンド部が成形後に破断が予定されるボンド部として形成されている請求項４に記載のトリム用インサート。
【請求項６】
前記ボンド部が２ヶ所設けられており、前記骨片部の両側のボンド部に対応する部位にそれぞれ空隙部が形成されている請求項１ないし３のいずれか１項に記載のトリム用インサート。
【請求項７】
前記ボンド部が２ヶ所設けられており、前記骨片部の一側のボンド部と他側のボンド部に対応する部位に交互に空隙部が形成されている請求項１ないし３のいずれか１項に記載のトリム用インサート。
【請求項８】
前記ボンド部が１ヶ所設けられており、前記骨片部の該ボンド部に対応する部位に空隙部が形成されている請求項１ないし３のいずれか１項に記載のトリム用インサート。
【請求項９】
前記骨片部の全部又は一部に骨片部の長さ方向に直線状の変形部が形成されている請求項１ないし８のいずれかに１項に記載のトリム用インサート。
【請求項１０】
前記骨片部のボンド部位置にインサートの長さ方向に直線状の連続した補強変形部が形成されている請求項９に記載のトリム用インサート。
【発明の詳細な説明】
【０００１】
【発明の属する技術分野】
この発明は、自動車のドア開口等に装着されるトリムに関し、特にはその芯材として埋設されるトリム用インサートの改良に関する。
【０００２】
【従来の技術】
トリムは、例えば自動車のボディのドア開口部に取り付けられるいわゆるウェザーストリップのように、緩衝材、装飾材及びシール材として用いられている。この種トリムはゴムや合成樹脂の長尺成形品の内部にしばしば形状保持のための芯材として板金製のインサートが埋設される。
【０００３】
トリムに埋設される従来の板金製インサートは、例えば図１５に符号４０で示すように、所定間隔の間隙部４５を経て多数並列された骨片部４１，４１と前記骨片部４１をトリムの長さ方向に連結するボンド部４２と破断予定のボンド部４３とからなる。このインサート４０は、金属板を平板状に打ち抜き成形されていて、トリム本体の押出成形時に平板状で供給されて一体成形により成形品内部に埋設された後、曲げ加工機等によりトリムの幅方向に曲げ加工されて、例えば図１６のような所定の断面形状のトリム５０に形成される。この際、インサート４０の破断予定ボンド部４３は分離機等によって切り離し破断される。図において、符号５１は成形品本体部、５２は自動車のドア開口部に形成されたフランジに取り付けられる嵌着部、５３及び５４はそのリップ部、５５はドアパネルに弾性的に当接して該ドアパネルとドアの開口部間の緩衝及びシールをするシール部である。
【０００４】
上のように、トリム用インサート４０は、長尺のトリム成形品本体部５１とともに一体成形され曲げ加工される。そして、トリム５０の装着箇所ではトリム５０としての嵌着力を維持しなければならないものである。従って、トリム用インサート４０は曲げ加工されたトリム５０の芯材として形状保持力を有することは当然であるとして、押出成形時には押出材料の剪断抵抗にも十分耐えることができる剛性を備えなければならない。一般に、この種インサート４０の骨片部４１は幅が２ないし３ｍｍで長さ（インサート全体としては幅方向の大きさ）が２０ないし４０ｍｍという細長い形状であるので、厚みとしてはある程度のものが必要で、現在では０．４ないし０．５ｍｍ厚の板金を使用している。
【０００５】
トリム５０はその幅方向に対しては上のように所定の断面形状に形成されているのであるが、車体への装着時には取付部であるドア開口形状に沿ってトリム５０の長さ方向に湾曲される。この際、取付部は前後左右に湾曲していることが多くトリム５０は三次元方向に変形して装着される必要がある。このとき、トリム５０に埋設されているインサート４０はトリムの変形とともに三次元方向に屈曲伸張する必要があるが、図１７の拡大図にも示すように、骨片部４１はボンド部４２と連結される部分４９において大きな面積Ｋａを有し他の部分より剛性が高く屈曲性や伸張性が悪くなっている。
【０００６】
前記骨片部４１の連結部分４９の剛性が高く屈曲性や伸張性が悪いと、トリム５０の取付に際しては、その前後左右の骨片部４１やボンド部４２により大きな力が加わりこれらの部分が変形することによってトリム５０全体が変形するのであるが、しかしながら、この場合にはトリム５０全体の取付が不自然かつ不完全となる。そればかりか、取付作業が煩雑となり作業性を悪くし、場合によっては取付後の復元力によってずれたり外れたりするおそれがある。
【０００７】
【発明が解決しようとする課題】
この発明はこのような点に鑑み、インサートの屈曲性、特にはボンド部との連結部分となる骨片部部分の屈曲性や伸張性を改善し、トリムの三次元方向への変形性を向上させることができる新規なトリム用インサートの構造を提案するものである。また、この発明は、必要に応じて、インサートの屈曲性や伸張性を調整できるトリム用インサートの構造を提案するものである。
【０００８】
すなわち、請求項１の発明は、ゴム又は合成樹脂材料内に埋設され、幅方向に所定間隔の間隙部を経て多数並列された骨片部と前記骨片部を長さ方向に連結するボンド部を有する板金製のトリム用インサートにおいて、前記骨片部のボンド部に対応する部位に空隙部が形成されていることを特徴とするトリム用インサートに係る。
【０００９】
また、請求項２の発明は、前記空隙部が骨片部の長さ方向の角部と、ボンド部の長さ方向の角部とを有する略菱形状に形成されている請求項１に記載のトリム用インサートに係る。
【００１０】
請求項３の発明は、前記空隙部が前記骨片部の長さ方向に溝部を有する請求項２に記載のトリム用インサートに係る。
【００１１】
請求項４の発明は、前記ボンド部が２ヶ所設けられており、前記骨片部の一側のボンド部に対応する部位に空隙部が形成されている請求項１ないし３のいずれか１項に記載のトリム用インサート係る。
【００１２】
請求項５の発明は、前記ボンド部のうち空隙部が形成されない他側のボンド部が成形後に破断が予定されるボンド部として形成されている請求項４に記載のトリム用インサートに係る。
【００１３】
請求項６の発明は、前記ボンド部が２ヶ所設けられており、骨片部の両側のボンド部に対応する部位にそれぞれ空隙部が形成されている請求項１ないし３のいずれか１項に記載のトリム用インサートに係る。
【００１４】
請求項７の発明は、前記ボンド部が２ヶ所設けられており、前記骨片部の一側のボンド部と他側のボンド部に対応する部位に交互に空隙部が形成されている請求項１ないし３のいずれか１項に記載のトリム用インサートに係る。
【００１５】
請求項８の発明は、前記ボンド部が１ヶ所設けられており、前記骨片部の該ボンド部に対応する部位に空隙部が形成されている請求項１ないし３のいずれか１項に記載のトリム用インサートに係る。
【００１６】
さらに、請求項９の発明は、前記骨片部の全部又は一部に骨片部の長さ方向に直線状の変形部が形成されている請求項１ないし８のいずれかに１項に記載のトリム用インサートに係る。
【００１７】
さらにまた、請求項１０の発明は、前記骨片部のボンド部位置にインサートの長さ方向に直線状の連続した補強変形部が形成されている請求項９に記載のトリム用インサートに係る。
【００１８】
【発明の実施の形態】
以下添付の図面に従ってこの発明を詳細に説明する。
図１はこの発明の一実施例に係るトリム用インサートの一部を示す平面図、図２は図１のインサートの骨片部のボンド部との連結部分を示す一部拡大図、図３は前記空隙部の他の例を示す一部拡大図、図４は同じく前記空隙部の他の例を示す一部拡大図、図５はさらに空隙部の他の例を示すインサートの一部を示す平面図、図６はインサートの骨片部に２ヶ所空隙部を形成した例を示す平面図、図７は同じくインサートの骨片部に２ヶ所空隙部を形成した例を示す平面図、図８は同じくインサートの骨片部に２ヶ所空隙部を形成した例を示す平面図、図９はさらにインサートの骨片部に２ヶ所空隙部を形成した例を示す平面図、図１０はインサートの骨片部に一側のボンド部と他側のボンド部に交互に空隙部を形成した例を示す平面図、図１１は１ヶ所のボンド部位置に骨片部に空隙部を形成した例を示す平面図、図１２は骨片部に直線状の変形部を形成したトリム用インサートの例を示す平面図、図１３は図１２の部分断面図、図１４はさらに図１２のボンド部位置に連続する補強部の断面図である。
【００１９】
図１及び図２に図示したトリム用インサート１０は板金製よりなり、幅方向に所定間隔の間隙部１６を経て多数並列された骨片部１１，１１，１１と前記骨片部１１を長さ方向に連結するボンド部１２を有するものであって、前記骨片部１１のボンド部１２に対応する部位に空隙部２０が形成されたものである。
【００２０】
図１の実施例に示すトリム用インサート１０は、その長さ方向ｂ（図の左右）に連続するもので、骨片部１１の長さ（つまりトリム用インサート１０の幅）は３１．５ｍｍ、骨片部１１の幅は３ｍｍ、各骨片部１１の間隙部１６の幅は２．５ｍｍである。
【００２１】
この発明の骨片部１１には、前記したように、ボンド部１２に対応する部位に空隙部２０が形成されたもので、この実施例においては、請求項２の発明として規定するように、前記空隙部２０が骨片部１１の長さ方向ａの角部と、ボンド部１２の長さ方向の角部とを有する略菱形状に形成されたものである。
【００２２】
このように前記骨片部１１の少なくとも一側のボンド部１２に対応する部位に空隙部２０が形成することによって、図２からもわかるように、骨片部１１のボンド部１２との連結部分１９の面積Ｋを、前記した従来構造Ｋａよりも小さくするとともに、当該部位の骨片部１１の剛性を低くすることが可能となる。図１７の従来構造のインサート４０のように、該骨片部４１のボンド部４２との連結部分４９の面積Ｋａが大きいと剛性が高くなり屈曲性や伸張性がよくないことは既に述べた。この発明構造とすれば、骨片部１１のボンド部１２に対応する位置に空隙部２０を形成することにより、骨片部１１のボンド部１２との連結部分１９の面積Ｋを小さくすることができ、該部分１９の剛性を下げることができその屈曲性や伸張性を高めることができる。
【００２３】
前記空隙部２０によれば、図２にも拡大して示すように、骨片部１１のボンド部１２との連結部分１９の距離ｄを変更することによって面積Ｋを調整することができ、その屈曲性や伸張性を調節することが可能となる。
【００２４】
また、図３及び図４に示したインサート１０Ａ及び１０Ｂは、請求項３にも規定したように、前記空隙部２０に前記骨片部１１の長さ方向に溝部２５Ａ，２５Ｂをそれぞれ形成したものである。さらに、図５に示すインサート１０Ｃは、前記溝部２５Ｃを骨片部１１の長さ方向に長く形成したもので、このように空隙部２０Ａ，２０Ｂ及び２０Ｃを形成することによって、該インサートとしての柔軟性及び屈曲性を調節することも可能である。なお、以下図において、同一部材については同符号を付して示す。
【００２５】
前記した図１及び図５に示す実施例においては、請求項４に規定するように、前記ボンド部が２ヶ所（１２ａ，１２ｂ）設けられており、骨片部１１の一側のボンド部１２ａに対応する部位に空隙部２０が形成されたもので、空隙部２０によって柔軟性を有するとともに、他方のボンド部１２ｂによってはトリム本体との一体成形時に骨片部１１が押出材料の剪断抵抗に耐え変形を受けにくくなる。
【００２６】
さらに前記実施例においては、請求項５にも規定したように、前記ボンド部１２ａ，１２ｂのうち空隙部２０が形成されない他側のボンド部１２ｂが成形後に破断が予定されるボンド部１３として形成されている。このように、前記他側のボンド部１２ｂ位置に破断ボンド部１３を形成しておくと、前記のように一体成形時の変形を防ぐとともに、トリムとして車両への取り付ける際には破断され、屈曲性が向上して好ましい。
【００２７】
また、図６、図７，図８及び図９に示すインサート１０Ｄ，１０Ｅ，１０Ｆ及び１０Ｇは、請求項６に規定したように、ボンド部が２ヶ所設けられており、前記骨片部１１の両側のボンド部１２ａ，１２ｂに対応する部位にそれぞれ空隙部２０，２１が形成された例を示す。
【００２８】
図６のインサート１０Ｄは２ヶ所のボンド部１２ａ，１２ｂ位置にそれぞれ空隙部２０Ｄ，２１Ｄが骨片部１１のやや中心よりに形成された例を示すもので、図７のインサート１０Ｅは一側のボンド部１２ａ位置と、他側のボンド部１２ｂ位置にそれぞれ違った形状の空隙部２０Ｅ，２１Ｅを形成した実施例を示すものである。さらに、図８に示すインサートＦは一側のボンド部１２ａ位置の空隙部２０Ｆと、他側のボンド部１２ｂ位置の空隙部２１Ｆを前記溝部２５Ｆで連結した。図９のインサート１０Ｇは骨片部１１一側のボンド部１２ａ位置に空隙部２０Ｆを設けるとともに、所定間隔おきの骨片部１１他側のボンド部１２ｂ位置に空隙部２１Ｆを形成した例を示す。これにより、前記実施例よりもさらなる柔軟性をインサートに付与することとなる。また、空隙部２０，２１の大きさや位置は特に限定するものではない。
【００２９】
さらに、図１０に示すインサート１０Ｈは、請求項７に規定したもので、前記ボンド部が２ヶ所設けられており、骨片部１１の一側のボンド部１２ａと他側のボンド部１２ｂに対応する部位に交互に空隙部２０Ｈ，２１Ｈが形成された実施例を示すものである。この実施例によれば両側ともにバランスの良い柔軟性を付与することができる。
【００３０】
また、請求項８の実施例としては、図１１のインサート１０Ｉとして示すように、ボンド部１２が１ヶ所設けられ、骨片部１１のボンド部１２位置に対応する部位に空隙部２０Ｉが形成されたものである。
【００３１】
図１２及び１３に示すインサート１０Ｊは、請求項９の発明として規定したように、骨片部１１の全部又は一部に骨片部１１の長さ方向ａに直線状の変形部３０が形成されたものである。
【００３２】
この直線状の変形部３０は、骨片部１１の剛性及び強度等の機械的特性を向上させることができ、インサートの薄肉化を可能にし軽量化及び経済性に寄与する。また、直線状の変形部３０を部分的に形成することによって骨片部１１の特性を変化させることもでき、本発明による屈曲性及び伸張性の特性とあいまってこの種インサートに対する多彩な要求に対応することができる。なお、直線状の変形部はこの例に示すリブ状突部の他に、曲面部もしくは凹溝部あるいはこれらの組合せなどがある。
【００３３】
さらに、請求項１０に示し、前記図１２及びその断面図である図１４にも示すインサート１０Ｊのように、前記変形部３０と合わせて、骨片部１１一側の空隙部２０とは他側のボンド部１２ｂ位置に、インサートの長さ方向ｂに連続した補強部３５を設けると、インサートとしての形状保持力及び車両等に取り付けた際の嵌合力が向上して好ましい。なお、実施例において該補強部３５は、前記変形部２０と同じ高さのものとしたが、その高さ及び形状はともに何ら限定するものではない。
【００３４】
トリム用インサート１０を構成する板金は、鉄板、アルミニウム板、銅板、ステンレス等の各種合金板よりなり、平板をプレス切断加工して骨片部１１及びボンド部１２を一体に形成することができる。
【００３５】
ちなみに、トリム本体は、例えばＥＰＤＭ（エチレン・プロピレン・ジエン三元共重合体）などのゴム又は合成樹脂の押出し成形品よりなり、前記したように、該トリム本体の押出成形時に平板状のトリム用インサートを供給して一体に成形し、一体成形後、曲げ加工機等により図１５のように所定形状に曲げ加工がなされる。
【００３６】
【発明の効果】
以上図示し説明したように、この発明のトリム用インサートによれば、骨片部の少なくとも一側のボンド部に対応する部位に空隙部が形成されているものであるため、インサートの屈曲性、特にはボンド部との連結部分となる骨片部部分の屈曲性及び伸張性が改善されて、トリムの三次元方向の変形性を大幅に向上させることができる。
【００３７】
また、この発明によれば、空隙部の大きさや形状を変更することによって、その屈曲性や伸張性を調節することが可能である。
【００３８】
この発明のトリム用インサートを用いたトリムはトリム用インサートの骨片部の屈曲性や伸張性が向上しているので、取付に際してはトリム全体が自然に変形して確実かつ美麗に取り付けることができるとともに、取付作業性を大幅に向上させ、かつ取付後のずれ等のトラブルも解消することができる。
【図面の簡単な説明】
【図１】この発明の一実施例に係るトリム用インサートの一部を示す平面図である。
【図２】図１のインサートの骨片部のボンド部との連結部分を示す一部拡大図である。
【図３】前記空隙部の他の例を示す一部拡大図である。
【図４】前記空隙部の他の例を示す一部拡大図である。
【図５】さらに空隙部の他の例を示すインサートの一部を示す平面図である。
【図６】インサートの骨片部に２ヶ所空隙部を形成した例を示す平面図である。
【図７】同じくインサートの骨片部に２ヶ所空隙部を形成した例を示す平面図である。
【図８】同じくインサートの骨片部に２ヶ所空隙部を形成した例を示す平面図である。
【図９】さらにインサートの骨片部に２ヶ所空隙部を形成した例を示す平面図である。
【図１０】インサートの骨片部に一側のボンド部と他側のボンド部に交互に空隙部を形成した例を示す平面図である。
【図１１】１ヶ所のボンド部位置に骨片部に空隙部を形成した例を示す平面図である。
【図１２】骨片部に直線状の変形部を形成したトリム用インサートの例を示す平面図である。
【図１３】図１２の部分断面図である。
【図１４】さらに図１２のボンド部位置に連続する補強部の断面図である。
【図１５】従来のトリム用インサートの一例を示す部分平面図である。
【図１６】トリム用インサートを一体に埋設したトリムの一例を示す断面図である。
【図１７】図１５のトリム用インサートの一部拡大平面図である。
【符号の説明】
１０，１０Ａ，１０Ｂ，１０Ｃ，１０Ｄ，１０Ｅ，１０Ｆ，１０Ｇ，１０Ｈ，１０Ｉ，１０Ｊ　トリム用インサート
１１　骨片部
１２（１２ａ，１２ｂ）　ボンド部
１３　破断予定ボンド部
１６　間隙部
１９　骨片部のボンド部との連結部分
２０，２０Ａ，２０Ｂ，２０Ｃ，２０Ｄ，２０Ｅ，２０Ｆ，２０Ｇ，２０Ｈ，２０Ｉ，２０Ｊ，２１Ｄ，２１Ｅ，２１Ｆ，２１Ｇ，２１Ｈ　空隙部
２５　溝部
３０　変形部
３５　補強部
【図１】
2004009355.tif 000003
【図２】
2004009355.tif 000004
【図３】
2004009355.tif 000005
【図４】
2004009355.tif 000006
【図５】
2004009355.tif 000007
【図６】
2004009355.tif 000008
【図７】
2004009355.tif 000009
【図８】
2004009355.tif 000010
【図９】
2004009355.tif 000011
【図１０】
2004009355.tif 000012
【図１１】
2004009355.tif 000013
【図１２】
2004009355.tif 000014
【図１３】
2004009355.tif 000015
【図１４】
2004009355.tif 000016
【図１５】
2004009355.tif 000017
【図１６】
2004009355.tif 000018
【図１７】
2004009355.tif 000019